(57)【要約】本発明の目的は、新規なマトリックス、すなわちイオン性液体である、したがって室温で液体であるマトリックスを含む。これらのマトリックスは、プロトン受容体として反応するアミンの塩と、プロトン供与体として反応する有機物質とで構成され、これらのアミンまたは有機物質のいずれかはＵＶ光を吸収する。本発明のアミンは、３−アミノキノリン、ピリジン、第１級アミンであって、そのＮ原子が、フェニル残基、あるいはＯＨ基で置換されていてもよい線状または分岐の飽和Ｃ1〜Ｃ11アルキル残基と結合していてもよい第１級アミン、第２級または第３級アミンであって、そのＮ原子が、ＯＨ基で置換されていてもよい線状または分岐の飽和Ｃ1〜Ｃ8アルキル残基、およびフェニル残基であってよい、同種でも異種でもよい２または３個の残基と結合していてもよい第２級または第３級アミン、イミダゾール、ならびにＣ−および／またはＮ−アルキル化イミダゾール誘導体である。【特許請求の範囲】
【請求項１】
プロトン受容体として反応するアミンの塩と、プロトン供与体として反応する有機物質とで構成される、紫外マトリックス支援レーザー脱離／イオン化質量分析用マトリックスであって、前記アミンまたは前記有機物質のいずれかはＵＶ光を吸収し、
前記マトリックスが、室温においてイオン性液体の形態であり、
前記アミンが、３−アミノキノリン、ピリジン、第１級アミンであって、そのＮ原子が、フェニル残基、あるいはＯＨ基で置換されていてもよい線状または分岐の飽和Ｃ1〜Ｃ11アルキル残基と結合していてもよい第１級アミン、第２級および第３級アミンであって、そのＮ原子が、ＯＨ基で置換されていてもよい線状または分岐の飽和Ｃ1〜Ｃ8アルキル残基、およびフェニル残基であってよい、同種でも異種でもよい２または３個の残基と結合していてもよい第２級および第３級アミン、イミダゾール、ならびにＣ−および／またはＮ−アルキル化イミダゾール誘導体からなる群より選択され、
前記有機物質が、２，５−ジヒドロキシ安息香酸およびその異性体、２−ヒドロキシ−５−メトキシ安息香酸およびその異性体、ピコリン酸、３−ヒドロキシピコリン酸、ニコチン酸、５−クロロ−２−メルカプトベンゾチアゾール、６−アザ−２−チオチミン、２’，４’，６’−トリヒドロキシアセトフェノン一水和物、２’，６’−ジヒドロキシアセトフェノン、９Ｈ−ピリド［３，４−ｂ］インドール、ジスラノール、ｔｒａｎｓ−３−インドールアクリル酸、オサゾン類、フェルラ酸、２，５−ジヒドロキシアセトフェノン、１−ニトロカルバゾール、７−アミノ−４−メチルクマリン、２−（ｐ−ヒドロキシフェニルアゾ）−安息香酸、８−アミノピレン−２，３，４−トリススルホン酸、２［２Ｅ−３−（４−ｔｅｒｔ−ブチル−フェニル）−２−メチルプロプ−２−エニリデン］マロノニトリル（ＤＣＴＢ）、４−メトキシ−３−ヒドロキシ桂皮酸、トリフルオロメタンスルホネート、および３，４−ジヒドロキシ桂皮酸からなる群より選択されることを特徴とするマトリックス。
【請求項２】
前記アミンが、アニリン、エタノールアミン、エチルアミン、ｎ−ブチルアミン、Ｎ，Ｎ−ジエチルアミン、Ｎ，Ｎ−ジエチルアニリン、Ｎ，Ｎ−ジエチルメチルアミン、Ｎ，Ｎ−ジメチルアミン、トリエチルアミン、トリ−ｎ−プロピルアミン、トリ−ｎ−ブチルアミン、３−アミノキノリン、およびピリジンであることを特徴とする請求項１に記載のマトリックス。
【請求項３】
前記マトリックスが、２，５−ジヒドロキシ安息香酸−ブチルアミン、または２−ヒドロキシ−５−メトキシ安息香酸−ブチルアミンであることを特徴とする請求項１または２に記載のマトリックス。
【請求項４】
溶媒で処理されることを特徴とする先行する請求項のいずれか１項に記載のマトリックス。
【請求項５】
紫外マトリックス支援レーザー脱離／イオン化質量分析、特に、定量または定性紫外マトリックス支援レーザー脱離／イオン化質量分析における、先行する請求項のいずれか１項に記載のイオン性液体の形態をとるマトリックスの使用。
【請求項６】
前記請求項１から４のいずれか１項に記載のイオン性液体の形態をとるマトリックス、およびプロトン受容体として反応するアミンの塩と、桂皮酸または桂皮酸誘導体とからなる室温において液体であるイオン性液体の形態をとるマトリックスの使用であって、前記アミンが、そのＮ原子が１、２、または３個の、ＯＨ基で置換されていてもよいメチル、エチル、ｎ−プロピル、イソプロピル、ｎ−ブチル、イソブチルの残基、および／またはフェニル残基と結合していてもよいアミン、３−アミノキノリン、およびピリジンである、（バイオ）ポリマーとの反応を実施するための媒体として、およびこれらの反応を監視するための媒体として、並びにそれによって生成される反応生成物を紫外マトリックス支援レーザー脱離／イオン化質量分析によって分析するための媒体としての使用。
【請求項７】
前記反応が、酵素、特に、グリコシダーゼ、プロテアーゼ、ヌクレアーゼ、リパーゼ、またはリアーゼによって触媒され、前記（バイオ）ポリマーが、ペプチド、タンパク質、炭水化物、脂質、核酸、二次代謝物、およびまたは薬物、ならびにそれらの複合体であることを特徴とする請求項６に記載の使用。
【請求項８】
前記紫外マトリックス支援レーザー脱離／イオン化質量分析が、分析または分取液体クロマトグラフィー、特にＨＰＬＣ、ＧＰＣ、およびＨＰＡＥＣ、電気泳動技術、特にＣＥ、ＣＥＣ、ＰＡＧＥ、およびＦＦＥ、または（微量）調製／分離技術、特にμＴＡＳ、ＧＹＲＯＳ（登録商標）、およびＬａｂ−ｏｎ−Ｃｈｉｐ（登録商標）と併用されることを特徴とする請求項５から７のいずれか１項に記載の使用。
【請求項９】
（バイオ）ポリマーとの反応の実施、これらの反応の監視、およびそれにより生成される反応生成物の分析のための方法であって、これらの反応が、特に酵素、好ましくはグリコシダーゼ、プロテアーゼ、ヌクレアーゼ、リパーゼ、またはリアーゼによって触媒され、
これらの反応が、前記請求項１から４のいずれか１項に記載のイオン性液体の形態をとるマトリックス中、またはプロトン受容体として反応するアミンの塩と、桂皮酸または桂皮酸誘導体とからなるイオン性液体の形態をとるマトリックス中で実施され、前記アミンが、そのＮ原子が１、２、または３個の、ＯＨ基で置換されていてもよいメチル、エチル、ｎ−プロピル、イソプロピル、ｎ−ブチル、イソブチルの残基、および／またはフェニル残基と結合していてもよいアミン、３−アミノキノリン、あるいはピリジンであり、紫外マトリックス支援レーザー脱離／イオン化質量分析によって監視されることを特徴とする方法。
【請求項１０】
前記紫外マトリックス支援レーザー脱離／イオン化質量分析が、分析または分取液体クロマトグラフィー、特にＨＰＬＣ、ＧＰＣ、およびＨＰＡＥＣ、電気泳動技術、特にＣＥ、ＣＥＣ、ＰＡＧＥ、およびＦＦＥ、または（微量）調製／分離技術、特にμＴＡＳ、ＧＹＲＯＳ（登録商標）、およびＬａｂ−ｏｎ−Ｃｈｉｐ（登録商標）と併用されることを特徴とする請求項９に記載の方法。
【発明の詳細な説明】
【技術分野】
【０００１】
本発明は、プロトン受容体として反応するアミンの塩と、プロトン供与体として反応する有機物質とからなり、前記アミンまたは前記有機物質のいずれかはＵＶ光を吸収する、紫外マトリックス支援レーザー脱離／イオン化質量分析用マトリックス、ならびにそのようなマトリックスの使用に関する。
【背景技術】
【０００２】
紫外マトリックス支援レーザー脱離−／イオン化−質量分析は、一般にＵＶ−ＭＡＬＤＩ−ＭＳと略記される。
【０００３】
ＵＶ−ＭＡＬＤＩ−ＭＳの分析の原理は、検体とＵＶ光吸収性マトリックス物質との共結晶化で得られる生体分子を含む分子の、マトリックス支援レーザー脱離およびイオン化に基づいている。このようなＵＶ光吸収性物質は、単にＭＡＬＤＩマトリックスと呼ばれる場合もある。
【０００４】
一般的なＭＡＬＤＩマトリックスは、例えば、２，５−ジヒドロキシ安息香酸（ＤＨＢ）、α−シアノ−４−ヒドロキシ桂皮酸（ＣＨＣＡ）、およびｔｒａｎｓ−３，５−ジメトキシ−４−ヒドロキシ桂皮酸（シナピン酸）である。
【０００５】
検体とマトリックスとの共結晶化は、例えば一般には、上記ＵＶ光吸収性マトリックス物質と検体との水溶液を金属製サンプルホルダー上で混合し乾燥させることによって行われる。続いて、共結晶化の固相から発生するイオンは、質量分析装置で検出され、これらの装置は、例えば、ＴＯＦ、四重極、イオントラップ、またはＦＴＩＣＲの原理、またはこれらの技術の組み合わせに基づいている。
【０００６】
ＵＶ−ＭＡＬＤＩ−ＭＳは、分子または生体分子の質量分析に主として使用され、例えば炭水化物、タンパク質、ペプチド、ヌクレオチド、および脂質、例えばそれらの対応する複合体、例えば糖タンパク質、リポタンパク質などの質量分析に使用される。細胞全体および微生物の直接的な特性決定も、ＭＡＬＤＩ−ＭＳ分析によって可能となる。これに関して、例えば、非特許文献１、非特許文献２、非特許文献３を参照することができる。
【０００７】
ＭＡＬＤＩ−ＭＳは多くの利点を有する。これらの中では特に、分析の高感度（単離物でフェムトモルからアトモルの範囲）、不純物および種々の緩衝物質に対する高い許容性、単純な試料調製（「乾燥液滴法」）、およびＭＡＬＤＩ−ＭＳの原理のハイスループット分析への統合化が挙げられる。
【０００８】
さらに、質量分析によって検査および検出できるよう分子を修飾するために、ＭＡＬＤＩのターゲットまたはＭＡＬＤＩサンプルホルダーに対して酵素を使用することが可能である。この場合、酵素と、検体／物質と、ＡＴＴなどの中性の従来のＭＡＬＤＩマトリックスとの溶液がＭＡＬＤＩターゲット上に直接塗布される。次に、進行する酵素反応は、反応混合物の乾燥および共結晶化によって停止する。続いて、通常通り、ＭＡＬＤＩによる反応生成物の分析を、実際の酵素反応の後に実施することができる。あるいは、後にＤＨＢなどの酸性マトリックスを反応混合物に加えて、酵素反応を終了させることもできる。
【０００９】
しかし、固体マトリックスまたは固体検体の調製を伴うＭＡＬＤＩ−ＭＳ分析の重大な欠点は、同じ調製物または同じ標本の異なる場所からの脱離中に検体の信号強度が大きくばらつくことが多いことである。このばらつきは、第１に、乾燥させた調製物の表面上で検体分子の分布が異なることが原因である。第２に、この原因は、検体／試料およびマトリックスの乾燥共結晶化で得られる結晶格子中に異なる種類の物質が異なる程度で混入することに見ることができる。そこで、より均一な結晶化を実現するために、種々の調製手順が既に提案されている。そのようなものとしては、例えば、薄層調製（非特許文献４）、結晶化の核として機能するマトリックス結晶薄層の調製、ニトロセルロースおよびフコースの添加の利用、ならびにＤＨＢまたはＣＨＣＡなどの通常のＭＡＬＤＩマトリックスのグリセリン中への溶解（非特許文献５）が挙げられる。しかし、これらの最適化された手順は常に、ＭＡＬＤＩ−ＭＳ分析のいくつかの状況に関する問題を解決するのみである。
【００１０】
有機酸のアミン塩からなるイオン性液体も、ＭＡＬＤＩ−ＭＳ用のマトリックスとして既に提案されており、非特許文献６を参照することができる。これは、種々の桂皮酸誘導体のアミン塩、またはアミノキノリンとＣＨＣＡとから得られるアミン塩に関する（非特許文献７）。
【非特許文献１】アロミラ（Ａｌｏｍｉｒａｈ）ＨＦ，アリ（Ａｌｌｉ）Ｉ，コニシ（Ｋｏｎｉｓｈｉ）Ｙ．，食用タンパク質およびペプチドへの質量分析の適用（Ａｐｐｌｉｃａｔｉｏｎｓ  ｏｆ  ｍａｓｓ  ｓｐｅｃｔｒｏｍｅｔｒｙ  ｔｏ  ｆｏｏｄ  ｐｒｏｔｅｉｎｓ  ａｎｄ  ｐｅｐｔｉｄｅｓ），Ｊ．Ｃｈｒｏｍａｔｏｇｒ．Ａ．２０００  Ｓｅｐ  ２９；８９３（１）；１−２１，Ｒｅｖｉｅｗ。
【非特許文献２】クスマン（Ｋｕｓｓｍａｎｎ）Ｍ，レプストルフ（Ｒｏｅｐｓｔｏｒｆｆ）Ｐ．ＭＡＬＤＩ−ＭＳにより分析されるペプチドおよびタンパク質の試料調製技術（Ｓａｍｐｌｅ  ｐｒｅｐａｒａｔｉｏｎ  ｔｅｃｈｎｉｑｕｅｓ  ｆｏｒ  ｐｅｐｔｉｄｅｓ  ａｎｄ  ｐｒｏｔｅｉｎｓ  ａｎａｌｙｓｅｄ  ｂｙ  ＭＡＬＤＩ−ＭＳ），Ｍｅｔｈｏｄｓ  Ｍｏｌ．Ｂｉｏｌ，２０００；１４６：４０５−２４。
【非特許文献３】ボンク（Ｂｏｎｋ）Ｔ，ハムニー（Ｈｕｍｎｅｙ）Ａ．，タンパク質およびＤＮＡのＭＡＬＤＩ−ＴＯＦ−ＭＳ分析（ＭＡＬＤＩ−ＴＯＦ−ＭＳ  ａｎａｌｙｓｉｓ  ｏｆ  Ｐｒｏｔｅｉｎ  ａｎｄ  ＤＮＡ），Ｎｅｕｒｏｓｃｉｅｎｔｉｓｔ，２００１，２７（５），４６５−７２。
【非特許文献４】ボーム（Ｖｏｒｍ）Ｏ．，レプストルフ（Ｒｏｅｐｓｔｏｒｆ），Ｐ．，マン（Ｍａｎｎ）Ｍ．，Ａｎａｌ．Ｃｈｅｍ．，６４、１９９２，１８７９−１８８４。
【非特許文献５】セー（Ｓｚｅ）ＥＴ，チャン（Ｃｈａｎ）ＴＷ，ワン（Ｗａｎｇ）Ｇ．生体分子のマトリックス支援レーザー脱離／イオン化のためのマトリックス溶液の調合（Ｆｏｒｍｕｌａｔｉｏｎ  ｏｆ  ｍａｔｒｉｘ  ｓｏｌｕｔｉｏｎｓ  ｆｏｒ  ｕｓｅ  ｉｎ  ｍａｔｒｉｘ−ａｓｓｉｓｔｅｄ  ｌａｓｅｒ  ｄｅｓｏｒｐｔｉｏｎ／ｉｏｎｉzａｔｉｏｎ  ｏｆ  ｂｉｏｍｏｌｅｃｕｌｅｓ），Ｊ．Ａｍ．Ｓｏｃ．Ｍａｓｓ．Ｓｐｅｃｔｒｏｍ．１９９８  Ｆｅｂ；９（２）；１６６−７４。
【非特許文献６】Ｄ．Ｗ．アームストロング（Ａｒｍｓｔｒｏｎｇ）ら，Ａｎａｌ，Ｃｈｅｍ．２００１，７３，３６７９−３６８６。
【非特許文献７】コリ（Ｋｏｌｌｉ）ＶＳＫ，オルランド（Ｏｒｌａｎｄｏ）Ｒ，Ｒａｐｉｄ  Ｃｏｍｍｕｎ．Ｍａｓｓ  Ｓｐｅｃｔｒｏｍ．１９９６，１０：９２３−９２６。
【発明の開示】
【発明が解決しようとする課題】
【００１１】
本発明の目的は、誤りがなく再現性のある分析値を得ることができ、特に、純粋な質量分析を、監視が可能な酵素反応／修飾から得られるさらなる知見と組み合わせることが可能になるＵＶ−ＭＡＬＤＩ−ＭＳ用の改善されたマトリックスを提供することである。
【課題を解決するための手段】
【００１２】
この目的は、請求項１から４の教示によるマトリックスによって、さらには、使用の請求項の教示によりイオン性液体の形態のこのマトリックスを使用することによって実現される。
【００１３】
本発明の対象は、新規なマトリックス、すなわちイオン性液体である、したがって室温で液体であるマトリックスを含む。これらのマトリックスは、プロトン受容体として反応するアミンの塩と、プロトン供与体として反応する有機物質とで構成され、これらのアミンまたは有機物質のいずれかはＵＶ光を吸収する。本発明のアミンは、３−アミノキノリン、ピリジン、第１級アミンであって、そのＮ原子が、フェニル残基、あるいはＯＨ基で置換されていてもよい線状または分岐の飽和Ｃ1〜Ｃ11アルキル残基と結合していてもよい第１級アミン、第２級または第３級アミンであって、そのＮ原子が、ＯＨ基で置換されていてもよい線状または分岐の飽和Ｃ1〜Ｃ8アルキル残基、およびフェニル残基であってよい、同種でも異種でもよい２または３個の残基と結合していてもよい第２級または第３級アミン、イミダゾール、ならびにＣ−および／またはＮ−アルキル化イミダゾール誘導体である。
【００１４】
したがって、上記Ｃ1〜Ｃ8アルキル残基は１、２、３、４、５、６、７、または８個のＣ原子を有することができ、第１級アミン中のＣ1〜Ｃ11アルキル残基は１、２、３、４、５、６、７、８、９、１０、または１１個のＣ原子を有することができる。
【００１５】
したがって、本発明により使用されるアミンとしては、以下のものが挙げられる；
・第１級アミンであって、そのＮ原子が、ＯＨ基で置換されていてもよい、メチル、エチル、ｎ−プロピル、イソプロピル、ｎ−ブチル、イソブチル、ｎ−ペンチル、イソペンチル、ｎ−ヘキシル、イソヘキシル、ｎ−ヘプチル、イソヘプチル、ｎ−オクチル、イソオクチル、ｎ−ノニル、イソノニル、ｎ−デシル、イソデシル、ｎ−ウンデシル、またはイソウンデシルの残基、あるいはフェニル残基と結合している第１級アミン。
・第２級または第３級アミンであって、そのＮ原子が、ＯＨ基で置換されていてもよい、メチル、エチル、ｎ−プロピル、イソプロピル、ｎ−ブチル、イソブチル、ｎ−ペンチル、イソペンチル、ｎ−ヘキシル、イソヘキシル、ｎ−ヘプチル、イソヘプチル、ｎ−オクチル、およびイソオクチルの残基、ならびにフェニル残基からなる群より選択される、同種でも異種でもよい、２または３個の残基と結合している第２級または第３級アミン。
・３−アミノキノリン、ピリジン、イミダゾール、およびＣ−および／またはＮ−アルキル化イミダゾール誘導体（アルキル残基は、同種でも異種でもよく、特に、１、２、３、４、５、または６個のＣ原子を有することができる）。
【００１６】
上記のイソ残基は、すべての存在しうる異性体を含んでいる。
【００１７】
本発明の有機物質は、２，５−ジヒドロキシ安息香酸およびその異性体（特に２，６−ジヒドロキシ安息香酸）、２−ヒドロキシ−５−メトキシ安息香酸およびその異性体、ピコリン酸、３−ヒドロキシピコリン酸、ニコチン酸、５−クロロ−２−メルカプトベンゾチアゾール、６−アザ−２−チオチミン、トリフルオロメタンスルホネート、２’，４’，６’−トリヒドロキシアセトフェノン一水和物、２’，６’−ジヒドロキシアセトフェノン、９Ｈ−ピリド［３，４−ｂ］インドール、ジスラノール、ｔｒａｎｓ−３−インドールアクリル酸、オサゾン類、フェルラ酸、２，５−ジヒドロキシアセトフェノン、１−ニトロカルバゾール、７−アミノ−４−メチルクマリン、２−（ｐ−ヒドロキシフェニルアゾ）−安息香酸、８−アミノピレン−２，３，４−トリススルホン酸、２［２Ｅ−３−（４−ｔｅｒｔ−ブチル−フェニル）−２−メチルプロプ−２−エニリデン］マロノニトリル（ＤＣＴＢ）、４−メトキシ−３−ヒドロキシ桂皮酸、および３，４−ジヒドロキシ桂皮酸である。個々の有機物質に関して挙げられている異性体と同様に、アミンとイオン性液体を形成可能であるなら、他の有機物質の異性体、特に位置異性体を使用することもでき、これに関しては後でさらに詳細に説明する。したがって、室温においてイオン性液体として存在するマトリックスに関して権利を主張する。このイオン性液体は、プロトン受容体の機能を有する前述のアミンと、プロトン供与体の機能を有する前述の有機物質とからの酸塩基反応に基づいて生成される。
【００１８】
本発明のアミンは、好ましくは、アニリン、エタノールアミン、エチルアミン、ｎ−ブチルアミン、Ｎ，Ｎ−ジエチルアミン、Ｎ，Ｎ−ジエチルアニリン、Ｎ，Ｎ−ジエチルメチルアミン、Ｎ，Ｎ−ジメチルアミン、トリエチルアミン、トリ−ｎ−プロピルアミン、トリ−ｎ−ブチルアミン、３−アミノキノリン、およびピリジンである。
【００１９】
新規マトリックスの中で好ましいものは、２，５−ジヒドロキシ安息香酸−ブチルアミン、および２−ヒドロキシ−５−メトキシ安息香酸−ブチルアミンである。
【００２０】
新規マトリックスは、プロトン受容体として反応する前述のアミンの、プロトン供与体として反応する前述の有機物質による処理を、０．５：１〜１：０．５のモル比、好ましくは等モル比において、例えば、これら２種類の反応物を接触させることにより行うことによって得ることができる。反応物の一方のみが液体である場合、固体反応物を液体反応物に加えることができるし、その逆も可能である。２つが液体反応物である場合、これらを同時に加えることができる。しかし、好ましくは、２種類の反応物を、溶媒中で互いに接触させ、この溶媒は反応後に除去され、好ましくは溶媒の留去によって行われ、特に減圧下で行われる。この反応によって、または溶媒の除去後に、液体反応生成物が得られる場合、これらがイオン性液体、すなわち本発明によるマトリックスとなる。
【００２１】
したがって、プロトン受容体として反応する本明細書に記載のアミンと、プロトン供与体として反応する本明細書に記載の有機物質とから、室温において、イオン性液体が生成可能かどうかは、単純な実験によって直接立証することができる。上記のように生成可能であれば、それは本発明によるマトリックスである。
【００２２】
本発明のさらなる目的は、プロトン受容体として反応するアミンの塩と、桂皮酸または桂皮酸誘導体とからなるイオン性液体の形態の新規マトリックス、および公知のマトリックスの使用であって、前記アミンが、そのＮ原子が１、２、または３個の、ＯＨ基で置換されていてもよいメチル、エチル、ｎ−プロピル、イソプロピル、ｎ−ブチル、イソブチルの残基、および／またはフェニル残基と結合していてもよいアミン、ピリジン、あるいは３−アミノキノリンである、（バイオ）ポリマーとの反応を実施するための媒体として、およびこれらの反応を監視するための媒体として、およびそれによって生成される反応生成物を紫外マトリックス支援レーザー脱離／イオン化質量分析によって分析するための媒体としての使用である。
【００２３】
これらの公知の液体マトリックスは、既に引用した文献、すなわち非特許文献６に記載されている。
【００２４】
本明細書の文脈において、新規マトリックスおよび公知のマトリックスは、本発明によるマトリックスと記載される。
【００２５】
本発明によるマトリックスは液体であるので、検体がこのマトリックス中に均一に分散する。したがって、前述の固体マトリックスの問題は発生しない。したがって、例えば調製物中の異なる位置で異なる検体成分の分離は発生しない。したがって、液体マトリックスを使用するＵＶ−ＭＡＬＤＩ−ＭＳを定量分析の目的でも使用することができ、このことはこれまで、例えば同位元素で標識した内部標準の使用などによるいくつかの例外的な場合でのみ可能であった。
【００２６】
マトリックスとしてイオン性液体を使用することのさらなる利点は、マトリックス／検体混合物を乾燥させる必要がないということにある。このため、調製物の作製時間が削減される。
【００２７】
にもかかわらず、イオン性マトリックスの粘度を低下させ、より管理しやすい状態にする、例えばピペットで計量できるようにするため、本発明によるマトリックス、すなわち本発明によるイオン性液体と、例えばエタノール、イソプロパノール、および長鎖アルコール、ならびにアセトニトリル、ジメチルホルムアミド、ジメチルスルホキシド、およびテトラヒドロフランなどの溶媒とを併用することもできる。さらに、上記溶媒を使用することによって、検体のマトリックスへの可溶化を改善することができる。
【００２８】
本発明によるマトリックスは、例えばＮ2レーザーが取り付けられているものなどの既存のＵＶ−ＭＡＬＤＩ質量分析計における問題を発生させずに使用することができる。
【００２９】
さらに、液体マトリックスを使用すると、分子の広いスペクトルの分析が可能になる。このようなものとしては、工業用ポリマーおよびバイオポリマー、例えば、オリゴ糖などの炭水化物、タンパク質、ペプチド、脂質、核酸、二次代謝物、薬物、およびそれらの複合体、例えば複合糖質および複合脂質、ならびに二次植物代謝物（例えば、プロシアニジンなどのフラボノイドなど）が挙げられる。
【００３０】
さらに、本発明によるマトリックスを使用すると、動力学などの反応の過程および進行の研究が可能であり、任意の時点で反応を停止させる必要がない。これは、例えば、酵素、特にグリコシダーゼ、プロテアーゼ、ヌクレアーゼ、リパーゼ、またはリアーゼによって触媒される反応に利用される。したがって、特に、プロテアーゼ（例えばトリプシン、キモトリプシン、ペプシン、アミノペプチダーゼ、カルボキシペプチダーゼによるペプチド／タンパク質の酵素的開裂、ならびにグリコシダーゼ（例えば、フコシダーゼ、シアリダーゼ、ガラクトシダーゼ、ヘキソサミニダーゼ、ペクチナーゼ、リアーゼ）による炭水化物および複合糖質の開裂、さらには、脂質（トリグリセリド、リン脂質、糖脂質）および核酸（ＤＮＡ、ＲＮＡ）の開裂を研究することができる。さらに、例えばトランスグリコシダーゼなどのトランスフェラーゼによるＭＡＬＤＩマトリックス中の合成反応も追跡することができる。
【００３１】
高濃度の検体を直接調製して希釈せずに測定することができる。さらに、脱離点依存性のばらつきが少ない異なる検体を同時に検出することが可能である。これは、物理的および化学的性質が異なる可能性のある異なる物質の種類の検体に対しても当てはまる。
【００３２】
液体マトリックスの使用によって、不安定な検体の分析も可能となる。この場合、この説明によって束縛しようとするものではないが、検体が結晶格子からではなく液体から気相になるため、液体マトリックスからの脱離がより穏やかに進行すると考えられる。
【００３３】
本発明によるマトリックスのｐＨ値は、非共有結合錯体および酸に不安定な分子の生理学的な値に近いため、そのような検体も測定することができる。
【００３４】
さらに、液体マトリックスによって、ＨＰＬＣ、ＧＰＣ、ＨＰＡＥＣなどの分析および分取クロマトグラフィー法とＭＡＬＤＩ−ＭＳとを組み合わせることができる。したがって、例えば大気圧ＭＡＬＤＩモードにおいて、本発明のマトリックスとカラム溶出液とを、原材料と混合したり、原材料の混合前に混合したりすることができる。オフラインＭＡＬＤＩ分析においては、好適な試料適用ロボットによって、液体マトリックスと並行してカラム溶出液をターゲット上に適用して、高いクロマトグラフィー分離「画像」が得られる改善された分析が連続的に行われる。
【００３５】
ＬＣと同様に、紫外マトリックス支援レーザー脱離／イオン化質量分析も、電気泳動技術（ＦＦＥ、ＰＡＧＥ、またはＣＥ技術など）と併用することができ、場合によっては試料適用ロボットを使用したり、（微量）調製／分離技術、特にμＴＡＳ、ＧＹＲＯＳ（登録商標）、およびＬａｂ−ｏｎ−Ｃｈｉｐ（登録商標）と併用／連結したりすることができる。
【００３６】
本発明のさらなる目的は、方法の請求項の教示による方法である。
【００３７】
好ましい実施形態を例示する実施例に基づいて、以下に本発明をより詳細に説明する。原則的に本発明によるマトリックスは、プロトン受容体として反応するアミンを等モルの比率で、プロトン供与体として反応する有機物質に加えることによって調製することができ、これらのアミンまたは有機物質のいずれかがＵＶ光を吸収する。反応は室温で実施される。イオン性液体または液体の塩が得られ、これは一般に高真空に対して安定であり、ＵＶ−ＭＡＬＤＩマトリックスとして使用することができる。
【実施例１】
【００３８】
（２，５−ジヒドロキシ安息香酸−ブチルアミン（ＤＨＢ−Ｂｕ）の調製）
３０８．４ｍｇの２，５−ジヒドロキシ安息香酸（ＤＨＢ）を１０ｍｌのエタノール中に溶解した。次に、１９８．４μｌのブチルアミン（Ｂｕ）を加えた。
【００３９】
さらなる体積の減少が起こらなくなるまで（約３０分）、溶媒を約４０℃および約４３ｍｂａｒで留去した。得られたＤＨＢ−Ｂｕの最終体積は約２００μｌであった。
【実施例２】
【００４０】
（５−メトキシサリチル酸−ブチルアミン（ＭＳＡ−Ｂｕ）の調製）
３３６．４ｍｇの５−メトキシサリチル酸（ＭＳＡ、２−ヒドロキシ−５−メトキシ安息香酸とも呼ばれる）を１０ｍｌのエタノール中に溶解した。１９８．４μｌのブチルアミン（Ｂｕ）をこれに加えた。実施例１と同様に後処理を行って、約２００μｌのＭＳＡブチルアミン（ＭＳＡ−Ｂｕ）を得た。
【００４１】
ブチルアミン−ＤＨＢをブチルアミン−ＭＳＡ（１０：１）（ｖ／ｖ）と混合することによって、ブチルアミン−ＤＨＢＳを調製することができる。
【実施例３】
【００４２】
（α−シアノ−４−ヒドロキシ桂皮酸−ブチルアミン（ＣＨＣＡ−Ｂｕ）の調製）
３７８．４ｍｇのα−シアノ−ヒドロキシ桂皮酸（ＣＨＣＡ）を１０ｍｌのメタノール中に溶解した。続いて、１９８．４μｌのブチルアミン（Ｂｕ）を加えた。実施例１と同様に後処理を行った。２００μｌのα−シアノ−４−ヒドロキシ桂皮酸−ブチルアミン（ＣＨＣＡ−Ｂｕ）を得た。
【実施例４】
【００４３】
（シナピン酸−トリエチルアミンの調製）
３７８．４ｍｇのシナピン酸（ｔｒａｎｓ−３，５−ジメトキシ−４−ヒドロキシ桂皮酸）を１０ｍｌのエタノール中に溶解した。続いて、２７８．４μｌのトリエチルアミンを加えた。実施例１と同様に後処理を行った。２００μｌのシナピン酸−トリエチルアミンを得た。
【実施例５】
【００４４】
（６−アザ−２−チオチミン−ブチルアミン（ＡＴＴ−Ｂｕ）の調製）
２８６．４ｍｇの６−アザ−２−チオチミン（ＡＴＴ）を１０ｍｌのエタノール中に溶解した。続いて１９８．４μｌのブチルアミン（Ｂｕ）を加えた。
【００４５】
さらなる体積の減少が起こらなくなるまで（約３０分）、溶媒を約４０℃および約４３ｍｂａｒで留去した。得られたＡＴＴ−Ｂｕの最終体積は約２００μｌであった。
【実施例６】
【００４６】
（２’，４’，６’−トリヒドロキシアセトフェノン一水和物−ブチルアミン（ＴＨＡＰ−ブチルアミン）の調製）
３７２．４ｍｇの２’，４’，６’−トリヒドロキシアセトフェノン一水和物（ＴＨＡＰ）を１０ｍｌのエタノール中に溶解した。続いて、１９８．４μｌのブチルアミン（Ｂｕ）を加えた。
【００４７】
さらなる体積の減少が起こらなくなるまで（約３０分）、溶媒を約４０℃および約４３ｍｂａｒで留去した。得られたＴＨＡＰ−Ｂｕの最終体積は約２００μｌであった。
【００４８】
得られたイオン性マトリックスの粘度を低下させるために、これらは各場合で、溶媒、例えば純エタノールで１／１ｖ／ｖ比率で希釈することができ、これによって、容易にピペットで計量できるようになる。
【実施例７】
【００４９】
マトリックス検体調製物の調製は、以下の一般手順によって行うことができる。
１．１μｌの液体イオン性マトリックスＡ（未希釈、またはＥｔＯＨまたは溶媒Ｂ中１：１（ｖ／ｖ））を、好適な溶媒Ｄ中の１μｌの検体Ｃと、ＭＡＬＤＩサンプルプレート（ステンレス鋼ターゲット）上で混合する。
２．あるいは、クラウンエーテルまたはイオン交換体による１：１（ｖ／ｖ）希釈液中でインキュベートすることによる検体の脱塩後に、この調製を１と同様に実施することができる。
３．予備混合した試料を有するＭＡＬＤＩサンプルプレートが、直接ＭＡＬＤＩ高真空中に移される。続いて、ＭＡＬＤＩ−ＭＳ分析が実施される。
【００５０】
マトリックスＡとしては、本明細書で前述したすべてのイオン性液体を使用することができ、特に、ブチルアミン−ＣＨＣＡ、ブチルアミン−ＤＨＢ、ブチルアミン−ＭＳＡ、ブチルアミン−ＤＨＢＳ、およびトリエチルアミン−シナピン酸が挙げられる。
【００５１】
溶媒Ｂとしては、以下のものを使用することができる。アセトン、アセトニトリル、メタノール（ＭｅｔＯＨ）、エタノール（ＥｔＯＨ）、ブタノール、イソプロパノール、クロロホルム、およびＨ2Ｏ。
【００５２】
検体Ｃは以下の物質の種類によるものであってよい。
１．工業用ポリマー（例えば、ＰＥＧ、ポリアクリルアミド、ＰＥ）、
２．炭水化物（例えば、単糖、二糖、三糖、オリゴ糖、ならびにホモポリマー組成およびヘテロポリマー組成の多糖）、
３．タンパク質およびペプチド、
４．脂質、
５．上記検体の複合体、
６．モノ−、ジ−、トリ−、オリゴ−、およびポリヌクレオチド、
７．二次植物代謝物（フェノール系物質、フラボノイドなど）、
８．高真空において揮発性ではない原子（例えばアルカリおよびアルカリ土類金属（Ｎａ、Ｋ、Ｃａ、Ｍｇなど）、金属（Ｆｅ、Ｚｎ、Ｓｎ、Ｃｕ、Ｃｒなど）。
【００５３】
溶媒Ｄとしては、以下のものを使用することができる。
１０〜８０％ＭｅｔＯＨの水溶液または酸性化溶液、ＥｔＯＨ、Ｈ2Ｏ、アセトン、アセトニトリル、イソプロパノール、ブタノール、クロロホルム、ＤＭＳＯ、ＤＭＦ、グリセリン、およびＴＨＦ。
【００５４】
溶液は、例えば０．１〜５％のＴＦＡ、酢酸、またはギ酸で酸性化することができる。
【実施例８】
【００５５】
（２，６−ジヒドロキシ安息香酸−ブチルアミン（２，６−ＤＨＢ−Ｂｕ）の調製）
３０８．４ｍｇの２，６−ジヒドロキシ安息香酸（ＤＨＢ）を１０ｍｌのエタノール中に溶解した。続いて、１９８．４μｌのブチルアミン（Ｂｕ）を加えた。
【００５６】
さらなる体積の減少が起こらなくなるまで（約３０分）、溶媒を約４０℃および約４３ｍｂａｒで留去した。得られた２，６−ＤＨＢ−Ｂｕの最終体積は約２００μｌであった。
【実施例９】
【００５７】
（２，５−ジヒドロキシ安息香酸−１−ヘキシル−３−メチルイミダゾール（ＤＨＢ−ＨＭＩＭ）の調製）
３０８，４ｍｇの２，５−ジヒドロキシ安息香酸（ＤＨＢ）を１０ｍｌのエタノール中に溶解した。続いて、３７１．４ｍｇの１−ヘキシル−３−メチルイミダゾール（ＨＭＩＭ）を加えた。
【００５８】
さらなる体積の減少が起こらなくなるまで（約３０分）、溶媒を約４０℃および約４３ｍｂａｒで留去した。得られたＤＨＢ−ＨＭＩＭの最終体積は約２００μｌであった。
【実施例１０】
【００５９】
（３−アミノキノリントリフレート（ＡＣ−トリフレート）の調製）
２８８．４ｍｇの３−アミノキノリン（ＡＣ）を１０ｍｌのエタノール中に溶解した。続いて、２９８．２ｍｇのトリフルオロメタンスルホネートを加えた。
【００６０】
さらなる体積の減少が起こらなくなるまで（約３０分）、溶媒を約４０℃および約４３ｍｂａｒで留去した。得られた３−アミノキノリントリフレートの最終体積は約２００μｌであった。
【００６１】
このマトリックスにおいて、３−アミノキノリン、したがって、アミンまたはプロトン受容体は、ＵＶ光を吸収可能な化合物であり、一方、他の実施例ではアミンはＵＶ光を吸収できないが、プロトン供与体として機能する有機物質がＵＶ光を吸収する。
【実施例１１】
【００６２】
前述のマトリックスにおいて、（バイオ）ポリマーの反応、特に酵素反応を実施することができる。これらの場合、マトリックスは媒体または「反応容器」としても機能する。続いて、この反応の過程を、質量分析によって直接かつ連続的に追跡することができる。
【００６３】
対応する調製物を製造するために、以下の手順を使用することができる（一般手順）：
【００６４】
０．５μｌの液体マトリックスＡ（未希釈、またはＥｔＯＨまたは他の好適な溶媒中１：１（ｖ／ｖ））を、好適な溶媒／緩衝液Ｃ中の０．５μｌの酵素Ｂ（約１μｇ／μｌ）および好適な溶媒／緩衝液中の０．５μｌの基質Ｄ（約１μｇ／μｌ）と、ＭＡＬＤＩサンプルプレート上で均一に混合する。この後、イオン性液体ＭＡＬＤＩマトリックス中の予備混合された酵素反応混合物を有するＭＡＬＤＩサンプルプレートが、直接ＭＡＬＤＩ高真空中に移される。
【００６５】
マトリックスＡとしては、実施例７に記載のものを使用することができる。
【００６６】
酵素Ｂとしては、以下の種類の酵素を使用することができる。ヒドロラーゼ、イソメラーゼ、リアーゼ、トランスフェラーゼ、オキシドレダクターゼ、およびリガーゼ。
【００６７】
溶媒／緩衝液Ｃとしては、以下のものを使用することができる。Ｈ2Ｏ、炭酸緩衝液、酢酸アンモニウム緩衝液、トリス（Ｔｒｉｓ）緩衝液、あるいはその他の好適でＭＳに適合した緩衝液系または溶媒。
【００６８】
この場合の最終的なマトリックス−酵素−基質溶液の酵素／基質比は、１：１〜１：３００（ｗ／ｗ）であるか、またはこれを超える。
【００６９】
（使用例）
・人乳からの三糖の脱シアル化：０．５μｌの、２５ｍＭの酢酸ＮＨ4緩衝液（ｐＨ５．０）中のＣｌｏｓｔｒｉｄｉｕｍ  Ｐｅｒｆｒｉｎｇｅｎｓ由来シアリダーゼ１μｇ／μｌ（約０．１Ｕ／μｌ）を、０．５μｌの、Ｈ2Ｏ中のシアリルラクトース１μｇ／μｌ、および０．５μｌのＤＨＢ−Ｂｕ（ＥｔＯＨ中１：１）と、ＭＡＬＤＩサンプルプレート上で混合し、直接ＭＡＬＤＩ−ＭＳ高真空中に移す。
【００７０】
・人乳からの五糖の脱フコシル化：０．５μｌの、２５ｍＭの酢酸ＮＨ4緩衝液（ｐＨ５．０）中のウシ腎臓由来α−フコシダーゼ１μｇ／μｌ（約２ｍＵ／μｌ）を、０．５μｌの、Ｈ2Ｏ中のＬＮＦＰ  １μｇ／μｌ、および０．５μｌ  ＤＨＢ−Ｂｕ（ＥｔＯＨ中１：１）と、ＭＡＬＤＩサンプルプレート上で混合し、直接ＭＡＬＤＩ−ＭＳ高真空中に移す。
【００７１】
・糖タンパク質の脱グリコシル化：０．５μｌの、２０ｍＭトリス緩衝液（ｐＨ７．５）中の組替え型フラボバクテリウム・メニンゴセプチカム由来ＰＮＧアーゼＦ  １μｇ／μｌ（約０．５Ｕ／μｌ）を、０．５μｌの、Ｈ2Ｏ中のＲＮアーゼＢ  １μｇ／μｌ、および１μｌのＣＨＣＡ−ＢｕまたはＤＨＢ−Ｂｕ（ＥｔＯＨ中１：１）と、ＭＡＬＤＩサンプルプレート上で混合し、直接ＭＡＬＤＩ−ＭＳ高真空中に移す。
【００７２】
・ヒトカゼインの酵素加水分解：０．５μｌのトリプシンを、ウシ膵臓由来のＴＰＣＫ０．０１〜１μｇ／μｌ（約０．０７４〜７．４Ｕ／μｌ）、０．５μｌの、イミダゾール緩衝液（１２．５ｍＭ、ｐＨ７．６）中のβ−カゼイン１μｇ／μｌ、および１μｌのＣＨＣＡ−Ｂｕ（ＥｔＯＨ中１：１）と、ＭＡＬＤＩサンプルプレート上で混合し、直接ＭＡＬＤＩ−ＭＳ高真空中に移す。
【００７３】
・ペプチド配列分析のためのカルボキシペプチダーゼ消化：０．５μｌの、サッカロミセス・セレヴィシエ（ＣＰＹ）由来カルボキシペプチダーゼ０．２μｇ／μｌ（約２０ｍＵ／μｌ）を、０．５μｌの、６０ｍＭクエン酸水素ジアンモニウム緩衝液（ｐＨ５）中のペプチド０．１〜１μｇ／μｌ、および１μｌのＣＨＣＡ−Ｂｕ（ＥｔＯＨ中１：１）と、ＭＡＬＤＩサンプルプレート上で混合し、直接ＭＡＬＤＩ−ＭＳ高真空中に移す。
【００７４】
・ペプチド配列分析のためのアミノペプチダーゼ消化：０．５μｌのＡｅｒｏｍｏｎａｓ  Ｐｒｏｔｏｌｙｔｉｃａ由来アミノペプチダーゼ０．２μｇ／μｌ（約２０ｍＵ／μｌ）を、０．５μｌの、トリシン緩衝液（ｐＨ８＋ＺｎＣｌ2）中のペプチド０．１〜１μｇ／μｌ、および１μｌのＣＨＣＡ−Ｂｕ（ＥｔＯＨ中１：１）と、ＭＡＬＤＩサンプルプレート上で混合し、直接ＭＡＬＤＩ−ＭＳ高真空中に移す。
【００７５】
・ホスホグリコペプチドの脱リン酸化：０．５μｌのジャガイモ由来酸性ホスファターゼ０．０１〜１μｇ／μｌ（約０．０２〜２Ｕ／μｌ）を、０．５μｌの、２５ｍＭの酢酸ＮＨ4緩衝液（ｐＨ５．０）中のβ−カゼイン１μｇ／μｌ、および１μｌのＣＨＣＡ−Ｂｕ（ＥｔＯＨ中１：１）と、ＭＡＬＤＩサンプルプレート上で混合し、直接ＭＡＬＤＩ−ＭＳ高真空中に移す。
【００７６】
・リン脂質の脱リン酸化：０．５μｌのミツバチ毒由来ホスホリパーゼＡ2０．０１μｇ／μｌ（約１０ｍＵ／μｌ）を、ＭｅｔＯＨ／ＣＨＣｌ3（２：１）中のホスファチジルコリンジヘプタ−デカノイル１μｇ／μｌ、および１μｌのＤＨＢ−Ｂｕ（ＥｔＯＨ中１：１）と、ＭＡＬＤＩサンプルプレート上で混合し、直接ＭＡＬＤＩ−ＭＳ高真空中に移す。
【００７７】
・糖脂質／ガングリオシドの脱グリコシル化：０．５μｌの、２０ｍＭトリス緩衝液（ｐＨ７．０）中のＭａｒｏｂｄｅｌｌａ  Ｄｅｃｏｒａ由来セラミドグリカナーゼ１μｇ／μｌ（約１０ｍＵ／μｌ）を、Ｈ2Ｏ中のウシガングリオシドＧＭ１  １μｇ／μｌ、および１μｌのＣＨＣＡ−ＢｕまたはＤＨＢ−Ｂｕ（ＥｔＯＨ中１：１）と、ＭＡＬＤＩサンプルプレート上で混合し、直接ＭＡＬＤＩ−ＭＳ高真空中に移す。
【００７８】
・オリゴヌクレオチドの配列決定：０．５μｌの、２０ｍＭトリス緩衝液（ｐＨ８．０）中のＣｒｏｔａｌｕｓ  Ａｄａｍａｎｔｅｕｓ毒由来のホスホジエステラーゼＩ約１ｍＵ／μ１を、０．５μｌの、Ｈ2Ｏ中のオリゴヌクレオチド１μｇ／μｌ、および１μｌのＣＨＣＡ−Ｂｕ（ＥｔＯＨ中１：１）と、ＭＡＬＤＩサンプルプレート上で混合し、直接ＭＡＬＤＩ−ＭＳ高真空中に移す。
【００７９】
ＭＡＬＤＩ−ＭＳスペクトルを、例えば０、５、１０、２０、３０、６０、および１２０分後に記録する。必要であればこのＭＳ分析は、混合物を調製してから数日後まで延長することができる。
【００８０】
上記方法において、例えば基質または反応生成物の簡単なスクリーニングも可能である。したがって、例えば数百種類の異なる基質が、１種類の酵素を使用して、ただ１つのサンプルプレート上でインキュベートされる。この場合、最小量の酵素および基質（例えば１μｌ／μｌにおいて０．５μｌ）のみが必要となる。質量分析によって、例えば真空中の動力学を追跡することができる。既存の自動測定プログラムを利用することで、本出願は、自動化およびコスト削減に関して非常に高い潜在能力が得られる。
【００８１】
これは例えば、ＤＨＢ−Ｂｕ中のシアリルラクトースのジシアリル化のためにシアリダーゼを使用する場合、およびＤＨＢ−Ｂｕ中のグリコペプチド／糖タンパク質の脱グリコシル化のためにＰＮＧアーゼＦを使用する場合に利用することができる。
【００８２】
さらに、上記のマトリックスは、複合ＬＣ−ＭＡＬＤＩ−ＭＳまたは電気泳動−ＭＡＬＤＩ−ＭＳ手順（ＰＡＧＥ、ＣＥ、ＦＦＥ）に使用することができる。また、（微量）調製／分離技術、特に、μＴＡＳ、ＧＹＲＯＳ（登録商標）、およびＬａｂ−ｏｎ−Ｃｈｉｐ（登録商標）と併用することも可能である。
【国際調査報告】
2005536759.tif 000002
2005536759.tif 000003
2005536759.tif 000004
2005536759.tif 000005
2005536759.tif 000006
2005536759.tif 000007
2005536759.tif 000008
2005536759.tif 000009
2005536759.tif 000010
2005536759.tif 000011
2005536759.tif 000012
2005536759.tif 000013
2005536759.tif 000014
2005536759.tif 000015
2005536759.tif 000016
2005536759.tif 000017
2005536759.tif 000018
2005536759.tif 000019
2005536759.tif 000020
2005536759.tif 000021
2005536759.tif 000022
2005536759.tif 000023
2005536759.tif 000024
2005536759.tif 000025